【手続補正書】
【提出日】平成17年8月11日(2005.8.11)
【手続補正１】
【補正対象書類名】明細書
【補正対象項目名】発明の名称
【補正方法】変更
【補正の内容】
【発明の名称】搬送装置及び搬送方法
【手続補正２】
【補正対象書類名】明細書
【補正対象項目名】特許請求の範囲
【補正方法】変更
【補正の内容】
【特許請求の範囲】
【請求項１】
被搬送物を載せた搬送コンベアを駆動することにより，被搬送物を搬送する装置であって，
前記搬送コンベアは，被搬送物を略円周方向に搬送する曲線経路部を備え，
前記搬送コンベアの内縁に沿って周動する内縁側ガイドベルトと，前記搬送コンベアの外縁に沿って並べて配置された複数の外縁側ガイドローラを備え，
前記搬送コンベアを駆動しながら，前記内縁側ガイドベルトを前記被搬送物の搬送方向に沿って周動させ，かつ，前記複数の外縁側ガイドローラの前記搬送コンベア側に位置する部分が前記被搬送物の搬送方向に沿ってそれぞれ移動するように回転させることにより，前記被搬送物を両側から誘導しながら搬送する構成としたことを特徴とする，搬送装置。
【請求項２】
前記内縁側ガイドベルトと前記複数の外縁側ガイドローラの間の幅を被搬送物を搬入する搬入側から被搬送物を搬出する搬出側に向かって狭くなるように形成したことを特徴とする，請求項１に記載の搬送装置。
【請求項３】
前記内縁側ガイドベルト及び前記外縁側ガイドローラを被搬送物を搬入する搬入側を中心として移動させる構成としたことを特徴とする，請求項１又は２に記載の搬送装置。
【請求項４】
搬送コンベアに被搬送物を載せ，前記搬送コンベアを駆動することにより，被搬送物を搬送する装置であって，
前記搬送コンベアは，被搬送物を略円周方向に搬送する曲線経路部を備え，
前記搬送コンベアの内縁に沿って周動する内縁側ガイドベルトと，前記搬送コンベアの外縁に沿って周動する外縁側ガイドベルトを備え，
前記搬送コンベアを駆動しながら，前記内縁側ガイドベルトを前記被搬送物の搬送方向に沿って周動させ，かつ，前記外縁側ガイドベルトを前記被搬送物の搬送方向に沿って周動させ，前記被搬送物を両側から誘導しながら搬送する構成としたことを特徴とする，搬送装置。
【請求項５】
前記搬送コンベアの外縁に沿って並べて配置された複数の外縁側支持ローラを備え，
前記外縁側ガイドベルトを隣り合う２個以上の外縁側支持ローラにそれぞれ巻回したことを特徴とする，請求項４に記載の搬送装置。
【請求項６】
前記内縁側ガイドベルトと前記外縁側ガイドベルトの間の幅を被搬送物を搬入する搬入側から被搬送物を搬出する搬出側に向かって狭くなるように形成したことを特徴とする，請求項４又は５に記載の搬送装置。
【請求項７】
前記内縁側ガイドベルト及び前記外縁側ガイドベルトを被搬送物を搬入する搬入側を中心として移動させる構成としたことを特徴とする，請求項４，５又は６に記載の搬送装置。
【請求項８】
前記搬送コンベアは，互いに交差する角度に配置された一対の回転機構に巻回された平面扇形状となる搬送ベルトであって，
前記被搬送物を載せた搬送ベルトを周動させることにより，前記被搬送物を略円周方向に搬送する構成としたことを特徴とする，請求項１〜７のいずれかに記載の搬送装置。
【請求項９】
被搬送物を載せた搬送コンベアを駆動することにより，被搬送物を略円周方向に搬送する方法であって，
前記搬送コンベアを駆動しながら，前記被搬送物の前記搬送コンベア内縁側の部分と，前記被搬送物の前記搬送コンベア外縁側の部分とを，前記被搬送物の搬送方向に誘導することを特徴とする，搬送方法。
【請求項１０】
前記搬送コンベアの内縁側では，内縁側ガイドベルトを前記被搬送物の搬送方向に沿って周動させ，かつ，前記搬送コンベアの外縁側では，複数の外縁側ガイドローラを回転させ，前記外縁側ガイドローラの前記搬送コンベア側に位置する部分を前記被搬送物の搬送方向に沿ってそれぞれ移動させることにより，前記被搬送物を両側から誘導しながら搬送することを特徴とする，請求項９に記載の搬送方法。
【請求項１１】
前記内縁側ガイドベルトと前記複数の外縁側ガイドローラの間の幅を被搬送物を搬入する搬入側から被搬送物を搬出する搬出側に向かって狭くなるようにすることを特徴とする，請求項１０に記載の搬送方法。
【請求項１２】
前記内縁側ガイドベルト及び前記外縁側ガイドローラを被搬送物を搬入する搬入側を中心として移動させることを特徴とする，請求項１０又は１１に記載の搬送方法。
【請求項１３】
前記搬送コンベアの内縁側では，内縁側ガイドベルトを前記被搬送物の搬送方向に沿って周動させ，かつ，前記搬送コンベアの外縁側では，外縁側ガイドベルトを前記被搬送物の搬送方向に沿って周動させることにより，前記被搬送物を両側から誘導しながら搬送することを特徴とする，請求項９に記載の搬送方法。
【請求項１４】
前記内縁側ガイドベルトと前記外縁側ガイドベルトの間の幅を被搬送物を搬入する搬入側から被搬送物を搬出する搬出側に向かって狭くなるようにすることを特徴とする，請求項１３に記載の搬送方法。
【請求項１５】
前記内縁側ガイドベルト及び前記外縁側ガイドベルトを被搬送物を搬入する搬入側を中心として移動させることを特徴とする，請求項１３又は１４に記載の搬送方法。
【手続補正３】
【補正対象書類名】明細書
【補正対象項目名】０００１
【補正方法】変更
【補正の内容】
【０００１】
【発明の属する技術分野】
本発明は，平面扇形状となる搬送ベルトに載せた被搬送物を，搬送ベルトを周動させることにより，略円周方向に搬送する曲線経路部を備える搬送装置，及び，搬送方法に関する。
【手続補正４】
【補正対象書類名】明細書
【補正対象項目名】０００８
【補正方法】変更
【補正の内容】
【０００８】
また，本発明によれば，搬送コンベアに被搬送物を載せ，前記搬送コンベアを駆動することにより，被搬送物を搬送する装置であって，前記搬送コンベアは，被搬送物を略円周方向に搬送する曲線経路部を備え，前記搬送コンベアの内縁に沿って周動する内縁側ガイドベルトと，前記搬送コンベアの外縁に沿って周動する外縁側ガイドベルトを備え，前記搬送コンベアを駆動しながら，前記内縁側ガイドベルトを前記被搬送物の搬送方向に沿って周動させ，かつ，前記外縁側ガイドベルトを前記被搬送物の搬送方向に沿って周動させ，前記被搬送物を両側から誘導しながら搬送する構成としたことを特徴とする，搬送装置が提供される。この搬送装置によっても，シール部を内縁側ガイドベルト及び外縁側ガイドベルトによって誘導することができ，包装体の姿勢を乱すことなく搬送できる。
【手続補正５】
【補正対象書類名】明細書
【補正対象項目名】００１０
【補正方法】変更
【補正の内容】
【００１０】
前記曲線経路部は，互いに交差する角度に配置された一対の回転機構に巻回された平面扇形状となる搬送ベルトを備え，前記被搬送物を載せた搬送ベルトを周動させることにより，前記被搬送物を略円周方向に搬送する構成とすることが好ましい。
また，本発明によれば，被搬送物を載せた搬送コンベアを駆動することにより，被搬送物を略円周方向に搬送する方法であって，前記搬送コンベアを駆動しながら，前記被搬送物の前記搬送コンベア内縁側の部分と，前記被搬送物の前記搬送コンベア外縁側の部分とを，前記被搬送物の搬送方向に誘導することを特徴とする，搬送方法が提供される。
この搬送方法にあっては，前記搬送コンベアの内縁側では，内縁側ガイドベルトを前記被搬送物の搬送方向に沿って周動させ，かつ，前記搬送コンベアの外縁側では，複数の外縁側ガイドローラを回転させ，前記外縁側ガイドローラの前記搬送コンベア側に位置する部分を前記被搬送物の搬送方向に沿ってそれぞれ移動させることにより，前記被搬送物を両側から誘導しながら搬送するようにしても良い。また，前記内縁側ガイドベルトと前記複数の外縁側ガイドローラの間の幅を被搬送物を搬入する搬入側から被搬送物を搬出する搬出側に向かって狭くなるようにしても良い。前記内縁側ガイドベルト及び前記外縁側ガイドローラを被搬送物を搬入する搬入側を中心として移動させるようにしても良い。
また，この搬送方法にあっては，前記搬送コンベアの内縁側では，内縁側ガイドベルトを前記被搬送物の搬送方向に沿って周動させ，かつ，前記搬送コンベアの外縁側では，外縁側ガイドベルトを前記被搬送物の搬送方向に沿って周動させることにより，前記被搬送物を両側から誘導しながら搬送するようにしても良い。前記内縁側ガイドベルトと前記外縁側ガイドベルトの間の幅を被搬送物を搬入する搬入側から被搬送物を搬出する搬出側に向かって狭くなるようにしても良い。また，前記内縁側ガイドベルト及び前記外縁側ガイドベルトを被搬送物を搬入する搬入側を中心として移動させるようにしても良い。